(57)【要約】【課題】地図画像と軌跡以外の情報とを対応付ける手段を提供すること。【解決手段】地図画像が表示される地図表示エリアを含む２以上のエリアを備える帳票１００に、電子ペン１０１を用いて記入された軌跡を軌跡情報として取得し、記憶部１２０及び処理部１１０を備える情報登録装置１０４であり、記憶部１２０は、帳票１００の表示内容、及びエリアごとの属性及び当該エリアに対応する軌跡情報の処理内容を定義する情報を含む帳票定義情報と、エリアごとに、当該エリアに対応する軌跡情報、当該軌跡情報の処理結果値及び／または当該エリアに表示される地図画像を特定する情報を含むエリア値が格納される帳票情報とを含んで記憶し、処理部１１０は、帳票定義情報に基づいて、地図表示エリアに対応する軌跡情報を、地図表示エリアとは異なる対象エリアのエリア値として帳票情報に記憶する情報登録装置１０４。【選択図】図１
2008139807.tif 000002
【特許請求の範囲】
【請求項１】
地図画像が表示される地図表示エリアを含む２以上のエリアを備える帳票に、電子ペンを用いて記入された軌跡を軌跡情報として取得する情報登録装置であって、
前記情報登録装置は、記憶部及び処理部を備え、
前記記憶部は、
前記帳票の表示内容、及び前記エリアごとの属性及び当該エリアに対応する軌跡情報の処理内容を定義する情報を含む帳票定義情報と、
前記エリアごとに、当該エリアに対応する前記軌跡情報、当該軌跡情報の処理結果値及び／または当該エリアに表示される地図画像を特定する情報を含むエリア値が格納される帳票情報とを含んで記憶し、
前記処理部は、
前記帳票定義情報に基づいて、前記地図表示エリアに対応する軌跡情報を、前記地図表示エリアとは異なる対象エリアのエリア値として前記帳票情報に記憶すること、
を特徴とする情報登録装置。
【請求項２】
前記帳票は、４以上のエリアを備え、
前記処理部は、
前記地図表示エリアに対応する軌跡情報のうち、前記表示エリア及び前記対象エリアとは異なる軌跡特定開始エリアに対応する軌跡情報を取得した後と、前記表示エリア、前記対象エリア、及び軌跡特定開始エリアとは異なる軌跡特定終了エリアに対応する軌跡情報を取得する前の間に取得された軌跡情報を、前記対象エリアの前記帳票情報のエリア値として記憶すること、
を特徴とする請求項１に記載の情報登録装置。
【請求項３】
前記帳票は、３以上のエリアを備え、
前記処理部は、
前記地図表示エリアに対応する軌跡情報のうち、前記表示エリア及び前記対象エリアとは異なる軌跡特定エリアに対応する軌跡情報を取得した前または後に取得された軌跡情報を、前記対象エリアの前記帳票情報のエリア値として記憶すること、
を特徴とする請求項１に記載の情報登録装置。
【請求項４】
前記記憶部には、
位置情報と対応付けた前記地図画像からなる地図情報がさらに記憶され、
前記処理部は、
前記対象エリアのエリア値となった前記地図表示エリアに対応する軌跡情報から、閉領域を検出し、前記地図情報に基づいて当該閉領域の面積を計算し、前記対象エリアのエリア値として前記帳票情報にさらに記憶すること、
を特徴とする請求項１ないし請求項３のいずれか１項に記載の情報登録装置。
【請求項５】
前記帳票定義情報には、
前記地図表示エリアに対して、前記エリアの属性及び当該エリアに対応する軌跡情報の処理内容として、当該エリアの帳票内における位置、当該エリアに所定の地図画像を表示し、当該エリアに対応する軌跡情報を取得することを示す情報が記憶され、
前記対象エリアに対して、前記エリアの属性及び当該エリアに対応する軌跡情報の処理内容として、当該エリアの帳票内における位置、当該エリアに対応する軌跡情報を文字認識した結果値を取得し、前記地図表示エリアに対応する軌跡情報を取得することを示す情報が記憶されていること、
を特徴とする請求項１に記載の情報登録装置。
【請求項６】
地図画像が表示される地図表示エリアを含む少なくとも２以上のエリアを備える帳票に、電子ペンを用いて記入された軌跡を軌跡情報として取得する情報登録装置における情報登録方法であって、
前記情報登録装置の記憶部には、
前記帳票の表示内容と、前記地図表示エリアに対して、当該エリアの帳票内における位置、当該エリアに所定の地図画像を表示し、当該エリアに対応する軌跡情報を取得することを示す情報と、前記地図表示エリアとは異なる対象エリアに対して、当該エリアの帳票内における位置、当該エリアに対応する軌跡情報を文字認識した結果値を取得し、前記地図表示エリアに対応する軌跡情報を取得することを示す情報とを含む帳票定義情報と、
前記帳票に含まれるエリアごとに、当該エリアに対応する前記軌跡情報、前記軌跡情報の処理結果値及び／または当該エリアに表示される地図画像を特定する情報からなるエリア値が格納される帳票情報とを含んで記憶され、
前記情報登録装置の処理部が、
前記帳票定義情報に基づいて、前記地図表示エリアに対応する軌跡情報を、前記対象エリアのエリア値として、前記帳票情報に記憶すること、
を特徴とする情報登録方法。
【請求項７】
前記帳票は、４以上のエリアを備え、
前記処理部は、
前記地図表示エリアに対応する軌跡情報のうち、前記表示エリア及び前記対象エリアとは異なる軌跡特定開始エリアに対応する軌跡情報を取得した後と、前記表示エリア、前記対象エリア、及び軌跡特定開始エリアとは異なる軌跡特定終了エリアに対応する軌跡情報を取得する前の間に取得された軌跡情報を、前記対象エリアの前記帳票情報のエリア値として記憶すること、
を特徴とする請求項６に記載の情報登録方法。
【請求項８】
前記帳票は、３以上のエリアを備え、
前記処理部は、
前記地図表示エリアに対応する軌跡情報のうち、前記地図表示エリア及び前記対象エリアとは異なる軌跡特定エリアに対応する軌跡情報を取得した前または後に取得された軌跡情報を、前記対象エリアのエリア値として前記帳票情報に記憶すること、
を特徴とする請求項６に記載の情報登録方法。
【請求項９】
前記記憶部には、
位置情報と対応付けた前記地図画像からなる地図情報がさらに記憶され、
前記処理部は、
前記対象エリアのエリア値となった前記地図画像が表示されるエリアに対応する軌跡情報から、閉領域を検出し、前記地図情報に基づいて当該閉領域の面積を計算し、前記対象エリアのエリア値として前記帳票情報に記憶すること、
を特徴とする請求項６ないし請求項８のいずれか１項に記載の情報登録方法。
【発明の詳細な説明】
【技術分野】
【０００１】
本発明は、地図情報に対応付けて、情報を登録する情報登録装置及び情報登録方法に関する。
【背景技術】
【０００２】
電子ペンを用いて地図情報を取り扱うための技術として、特許文献１ないし特許文献３に記載された技術がある。
【０００３】
特許文献１及び特許文献２には、地図上の所望の位置を指定するために、特殊なドットパターンを印刷することで、位置を特定可能に作成された用紙上に、緯度経度が対応付けられた地図画像を印刷し、電子ペンを用いて地図画像が印刷された用紙上の位置を取得すると、用紙上の位置と地図上の緯度経度の対応を示す情報を用いて、用紙上の位置に対応する地図の緯度経度を出力する技術が記載されている。
【０００４】
特許文献３には、地図情報を電子データとして取得する際に、特許文献１及び特許文献２と同様に作成され、地図画像が印刷された用紙上で、電子ペンを用いて、２つの点を出発地及び目的地として取得し、その２点間の経路情報を算出する技術が記載されている。
【特許文献１】特開２００６−００３７９１号公報（請求項１、図５）
【特許文献２】特開２００４−２９４９４２号公報（請求項１、図１）
【特許文献３】特開２００４−０４６４２４号公報（段落００７９〜００８５、図１２）
【発明の開示】
【発明が解決しようとする課題】
【０００５】
電子ペンを用いて地図情報を取り扱う場合、電子ペンを地図上の緯度経度等を取得する入力手段として用いるだけでなく、地図画像自体に軌跡以外の情報を対応付けたり、電子ペンを用いて地図画像上に記入された軌跡と他の情報とを対応付けたい場合がある。
しかしながら、前記の特許文献１ないし３に記載の技術では、地図画像が印刷された用紙に記入された各情報を、用紙ごとのファイルとして取り扱うことはできるものの、地図画像を含む地図情報またはそこに記入された軌跡自体に、その他の情報を対応付けることとはできなかった。
【０００６】
したがって、本発明は前記の課題を解決し、帳票上に表示される地図画像に記入された軌跡自体に、軌跡以外の情報を対応付けできる手段を提供することを目的とする。
【課題を解決するための手段】
【０００７】
前記の課題を解決するためになされた本発明の他の態様に係る情報登録装置は、地図画像が表示される地図表示エリアを含む２以上のエリアを備える帳票に、電子ペンを用いて記入された軌跡を軌跡情報として取得するものであり、記憶部は、帳票の表示内容、エリアごとの属性及び当該エリアに対応する軌跡情報の処理内容を定義する帳票定義情報と、エリアごとに、当該エリアに対応する前記軌跡情報、当該軌跡情報の処理結果値及び／または当該エリアに表示される地図画像を特定する情報を含むエリア値が格納される帳票情報とを含んで記憶し、処理部は、帳票定義情報に基づいて、地図表示エリアに対応する軌跡情報を、地図表示エリアとは異なる対象エリアのエリア値として帳票情報に記憶することを特徴としている。
本発明のその他の態様については、後記する実施形態において詳しく記載する。
【発明の効果】
【０００８】
本発明によれば、帳票上に表示される地図画像に記入された軌跡自体に、軌跡以外の情報を対応付けることができる。
【発明を実施するための最良の形態】
【０００９】
以下、本発明の好適な実施形態を添付した図面を参照しつつ、詳細に説明する。本実施形態では、地図が印刷された帳票を作成し、この帳票に電子ペンを用いて記入することで、地図画像上に記入された軌跡と他の情報との対応付けを行う。さらに、地図画像に対応付けられる画像情報の取得を行う方法について説明する。
【００１０】
（システム構成）
図１は、本実施形態に係る情報登録システムの構成図の例である。
図１に示した情報登録システムは、特殊なドットパターンを含んで印刷された帳票１００と、この帳票１００への記入及び記入に伴う軌跡情報（記入データ）の取得を行う電子ペン１０１、軌跡情報を電子ペン１０１から取得するペン端末１０２、ペン端末１０２から送信された軌跡情報を取得し、予め定義された帳票１００のフォーマットに応じて軌跡情報を加工して記憶する機能等を有する情報登録装置１０４、情報登録装置１０４に接続され帳票１００を印刷出力するプリンタ１０６、ペン端末１０２と情報登録装置１０４との通信経路であるネットワーク１０３、及び情報登録装置１０４に接続された管理端末１０５から構成される。
以下、情報登録システムの各構成要素について詳しく説明する。
【００１１】
（電子ペン）
本実施形態で用いる電子ペン１０１は、利用者によって帳票１００に記入された記入データを、軌跡情報として、ペン端末１０２に送信する。
ここで、図２は、本実施形態の電子ペン１０１の構成を示す図面である。図２に示すように、電子ペン１０１は、通常のインクタイプのペン１０１０に加えて、帳票１００に印刷されたドットパターンを読み取るためのカメラ１０１１、記入時に電子ペン１０１に作用する筆圧を検出する圧電素子１０１２、カメラ１０１１及び圧電素子１０１２からのデータを処理して、記入により移動するペン先の位置をドットパターンと関連付け、軌跡情報として作成する処理装置１０１３、作成された軌跡情報の蓄積等を行うメモリ１０１４、伝送装置１０１６、電子ペン１０１に電源を供給する電池１０１５等を備える。
【００１２】
この伝送装置１０１６は、短距離無線伝送技術の一種であるBluetooth（登録商標）等の通信プロトコルに従い、所定の周波数帯域の電波を利用して情報を送受信する装置が挙げられるが、その他の無線技術や、無線ＬＡＮ（Local Area Network）、あるいは有線通信技術の通信プロトコルに従って情報を送受信する装置であってもよい。また、処理装置１０１３はＣＰＵ（Central Processing Unit）やＲＯＭ（Read Only Memory）等の電気・電子回路を含み、電子ペン１０１を統括的に制御する。
【００１３】
具体的には、電子ペン１０１は、利用者が電子ペン１０１により帳票１００上に文字等を書く際に、圧電素子１０１２が、ペン１０１０に与えられる圧力、即ち筆圧を検出して圧力信号として処理装置１０１３へ供給し、処理装置１０１３は、この圧力信号に基づいてカメラ１０１１のスイッチオン／オフの切り替え等を行う。電子ペン１０１は、所定値以上の筆圧が検出されたときに、利用者が記入を開始したと判定して、カメラ１０１１を作動させる。カメラ１０１１は、帳票１００上のドットパターンを読み取り、その情報を処理装置１０１３に供給する。処理装置１０１３は供給された情報から、帳票１００上での電子ペン１０１のＸ／Ｙ座標を算出する。
【００１４】
処理装置１０１３は、算出したＸ／Ｙ座標を、タイムスタンプ（時間情報）及び当該電子ペン１０１を識別するペンＩＤと関連付けて、時系列の軌跡情報としてストローク（電子ペン１０１の圧電素子１０１２が、所定値以上の筆圧を検出してから、その値が所定値未満となるまでの間）毎のファイルとしてメモリ１０１４に保存し、利用者の動作指示や、クレードルに電子ペン１０１を置いたタイミング等で、ペン端末１０２に伝送装置１０１６を介して、この保存した軌跡情報を送信する。
なお、本発明の技術は、利用者の記入した軌跡情報を記憶可能な装置であれば、電子ペン１０１に限らず適応可能である。
【００１５】
（帳票）
電子ペン１０１により記入される帳票１００は、例えば特殊なドットパターンが印刷された用紙を用いることで、電子ペン用の専用紙として機能する。この専用紙は、紙面を所定サイズの格子に区切った場合に、その位置を特定できるようにドットが配置されており、このドットパターンの情報を用いて、帳票１００上における電子ペン１０１のペン先の位置を特定することができるものである。
【００１６】
ここで、図３は、本実施形態で用いる２種類（Ａ１、Ｂ１）の帳票１００に表示される情報を説明する図面である
図３に示すように、帳票１００には、特殊なドットパターンと、帳票１００ごとの罫線や枠、項目名等を表す画像データである帳票イメージと、後記する手順で管理者が設定する地図画像と、同じく管理者が設定する表示情報とを重ね合わせて構成される。帳票１００に記入する電子ペン１０１の利用者は、帳票１００の上面に表示される帳票イメージから記入位置等を特定して帳票１００に記入する。
【００１７】
（ペン端末）
図１に戻って、ペン端末１０２は、電子ペン１０１に内蔵された伝送装置１０１６（図２参照）を介して送信された軌跡情報を受信し、必要に応じて自身に内蔵する記憶部に記憶する。そして、記憶した軌跡情報を、所定のタイミングでネットワーク１０３を介して情報登録装置１０４に送信する。このタイミングは、利用者の指示によってもよく、定期的に行われてもよい。
ペン端末１０２は、図示しない演算手段としてのＣＰＵ（Central Processing Unit）、ペン端末１０２の動作を実現するプログラムを展開したり、実行中のデータを一時記憶するＲＡＭ（Random Access Memory）、前記のプログラムが記憶されるハードディスクドライブ、電子ペン１０１又はネットワーク１０３との通信を行う際に使用するネットワークインタフェース等を備える一般的なコンピュータにより具現される。
【００１８】
（ネットワーク）
ネットワーク１０３としては、ＬＡＮ（Local Area Network）、インターネット、専用線等の様々な回線を適用することができる。
【００１９】
（情報登録装置）
情報登録装置１０４は、後記する各種のプログラムを実行する演算処理部１１０、演算処理部１１０が実行するプログラムを展開したり、このプログラムが使用するデータを一時記憶するＲＡＭ１１１、外部機器との接続インタフェースである送受信部１１２、各種のプログラムや、帳票１００を作成するためのデータや、帳票１００に記入されたデータなどが記憶される記憶部１２０を含んで構成され、一般的なサーバ用のコンピュータにより具現することができる。
【００２０】
ここで、情報登録装置１０４の記憶部１２０に記憶される情報について詳しく説明する。
【００２１】
本実施形態の情報登録装置１０４の記憶部１２０には、５つのプログラムが記憶されている。
帳票生成プログラム１２１は、帳票１００に表示される情報の設定を行い、プリンタ１０６から帳票１００を出力する。この帳票生成プログラム１２１の詳しい動作手順については後記する（図６参照）。
軌跡処理プログラム１２２は、帳票１００に記入された情報を処理して、後記する帳票情報データベース１２９に記憶する。この軌跡処理プログラム１２２の詳しい動作手順については後記する（図１０参照）。
【００２２】
文字認識プログラム１２３は、軌跡処理プログラム１２２から呼び出されて起動し、帳票１００の所定エリアに記入された情報を文字認識して、その結果の文字コードを軌跡処理プログラム１２２に受け渡す。この文字認識プログラム１２３としては、従来公知の様々なアルゴリズムを適用することができる。
面積計算プログラム１２４は、軌跡処理プログラム１２２から呼び出されて起動し、帳票１００の所定エリアに記入された軌跡の閉領域を検出し、その閉領域の面積を算出して軌跡処理プログラム１２２に受け渡す。この面積計算プログラム１２４としては、従来公知の様々なアルゴリズムを適用することができる。
【００２３】
付加情報登録プログラム１２５は、作成された帳票１００に含まれる地図画像に対して重ね合わされるレイヤ画像を作成する。この付加情報登録プログラム１２５の詳しい動作手順については後記する（図１３参照）。
なお、帳票生成プログラム１２１及び付加情報登録プログラム１２５は、管理端末１０５からの起動指示によりＲＡＭ１１１に読み込まれ、演算処理部１１０が実行する。また、軌跡処理プログラム１２２は、ペン端末１０２から軌跡情報を取得したタイミングまたは管理端末１０５からの起動指示によりＲＡＭ１１１に読み込まれ、演算処理部１１０が実行する。
【００２４】
次に、本実施形態の情報登録装置１０４の記憶部１２０には、６つのデータベース領域が確保されている。以下、記憶部１２０に確保された６のデータベース（軌跡情報データベース１２６、帳票定義データベース１２７、地図情報データベース１２８、帳票情報データベース１２９、マスタレイヤデータベース１３０、ドットパターンデータベース１３１）に記憶される情報について、詳しく説明する。
【００２５】
まず、軌跡情報データベース１２６には、電子ペン１０１で取得され、ペン端末１０２からネットワーク１０３を介して送信された軌跡情報が記憶されている。ここで、次に示す表１は、軌跡情報データベース１２６に記憶された軌跡情報の例を示すテーブルである。
【００２６】
【表１】
2008139807.tif 000003
【００２７】
表１に示すように、軌跡情報は、ストローク毎のファイルとして格納され、その軌跡情報を送信した電子ペン１０１を識別するペンＩＤ「１２３」と、ストロークを識別する軌跡ＩＤ「１」とをヘッダとして有し、１つのレコードが時間毎の電子ペン１０１のペン１０１０（図２参照）の帳票１００におけるＸ座標とＹ座標を表しており、記入時刻を表す時間、帳票１００におけるＸ座標、Ｙ座標のフィールドを有する。表１に示した軌跡情報では、最上位のレコードは、時間の「20061110 145821003」から、２００６年１１月１０日、１４時５８分２１．００３秒に、この電子ペン１０１のペン１０１０がＸ座標「１２１」、Ｙ座標「７８０」の位置にあったことを示している。
なお、前記項目に加えて、例えば帳票１００の１枚毎に固有の帳票ＩＤ等の情報をさらに追加して、開始（記入始め）〜終了（記入終了のチェックマークに記入）までの区切りで１つのファイルとして管理してもよい。
なお、帳票ＩＤは、後記する帳票情報データベース１２９に記憶された各帳票１００のドットパターンの割り当てと、ペン先のＸ／Ｙ座標とから決定することができる。
【００２８】
次に、帳票定義データベース１２７には、帳票１００の種類ごとに、帳票１００に含まれるエリアの属性を定義する帳票定義情報が記憶されている。ここで、図４は、帳票定義データベース１２７に記憶される帳票定義情報を説明する図面である。
図４では、右側に帳票定義情報を示し、この帳票定義情報の各レコードが、左側に例示した帳票１００のどのエリアについての情報であるかを示している。
図４に示した帳票定義情報は、この帳票定義情報を識別する帳票種別ＩＤ「Ａ１」、この帳票定義情報の名称である帳票名「農地情報登録」、この帳票定義情報の帳票１００の左上隅を原点とした場合の帳票１００が占める領域を示す帳票座標「（０，０）−（７００，１０００）」、及びこの帳票１００の帳票イメージの画像データを示す帳票イメージ「○○○.gif」をヘッダとして有している。
【００２９】
また、参照符号４０１で示したレコードは、帳票１００の参照符号４０１ｂで示したエリアを定義する情報であり、このエリアを識別するエリアＩＤ「００１」、前記した帳票座標内のこのエリアの始点及び終点の座標を示すエリア座標「（１５０，１００）−（５００，１５０）」、このエリアに予め設定された情報を表示することを示すエリア属性「表示」、このエリアに記入された軌跡情報を文字認識する必要がないことを示す文字認識「ＮＯ」、このエリア以外のエリアに記入された軌跡情報を対応付けないことを示す付加軌跡取得「ＮＯ」、及び対応付けられた軌跡情報に含まれる閉領域の面積を算出しないことを示す面積計算「ＮＯ」の各項目を含んでいる。
なお、エリア属性「表示」の場合、このエリアには帳票１００の印刷の前に、所定の情報を取得して、この取得した情報をこのエリアに表示することを示している。この手順については、後記する帳票生成プログラム１２１の動作手順において詳しく説明する（図６参照）。
【００３０】
参照符号４０２で示したレコードは、帳票１００の参照符号４０２ｂで示したエリアを定義する情報であり、前記と同様に、エリアＩＤ、エリア座標、エリア属性、文字認識、付加軌跡取得、面積計算の各項目を含む。
ここで、エリア属性の項目値は「地図画像」であり、このエリアには後記する手順で設定される地図画像が表示され、ここに記入された軌跡情報をエリア値として取得することを示している。なお、この参照符号４０２で示すレコードに対応するエリアは、請求項の地図表示エリアに相当する。
【００３１】
参照符号４０３で示したレコードは、帳票１００の参照符号４０３ｂで示したエリアを定義する情報であり、前記と同様に、エリアＩＤ、エリア座標、エリア属性、文字認識、付加軌跡取得、面積計算の各項目を含む。
ここで、エリア属性の項目値は「文字入力」であり、このエリアには電子ペン１０１を用いて文字が記入されることを示し、文字認識の項目値が「ＹＥＳ」であるため、入力された軌跡情報を文字認識することを示している。
また、付加軌跡取得の項目値は「ＹＥＳ」であり、このエリアにはこのエリア以外の軌跡情報を対応付けることを示している。この対応付けは、軌跡処理プログラム１２２が、参照符号４０３ｂのエリアの右側の「スタート」のエリアと、「エンド」のエリアとにチェックを記入する間で記入された軌跡情報を対応付ける。本実施形態では、この「スタート」及び「エンド」にチェックを記入する間に記入した軌跡情報を対応付けることとしたが、対応付けの手法は、例えば管理者が軌跡情報を指定したり、その他の手順により対応付けることにしてもよい。
また、面積計算の項目値が「ＹＥＳ」であるため、対応付けされた軌跡情報に含まれる閉領域の面積を算出することを示している。
なお、この参照符号４０３で示すレコードに対応するエリアは、請求項の対象エリアに相当する。
【００３２】
次に、地図情報データベース１２８には、緯度経度により地図上の任意の点を指定可能なように、緯度経度のグリットと対応付けされたマスタ地図画像と、マスタ地図画像から切り出され、帳票１００の所定のエリア（図４のエリア属性の項目値が「地図画像」のエリア）に表示される地図画像を特定する地図指定情報とを含んで記憶されている。ここで、次に示す表２は、地図情報データベース１２８に記憶された地図指定情報の例を示すテーブルである。
【００３３】
【表２】
2008139807.tif 000004
【００３４】
表２に示した地図指定情報は、レコードごとに、地図画像を特定する地図ＩＤ、地図画像をマスタ地図画像から切り出す際の基準点（本実施形態ではエリアの左上隅の点に対応）の緯度経度を示す基準緯度経度、及びその地図画像の縮尺の各項目が含まれる。
この地図指定情報は、後記する手順により、帳票生成プログラム１２１が記憶し、帳票１００に地図画像を表示（印刷）する際に参照される。
なお、マスタ地図画像としては、地形図、道路地図、住宅地図、土地利用図、航空写真、衛星写真等や、さらには、例えばベクトルデータから構成されるＣＡＤデータ等の様々な地図を適用することができ、帳票１００の種類に応じて選択される。
【００３５】
次に、帳票情報データベース１２９には、１枚１枚の帳票１００ごとの帳票情報として、その帳票１００に含まれる各エリアに関連する情報が記憶されている。
ここで、次に示す表３は、ある帳票１００の帳票情報に含まれる情報の例を示すテーブルである。
【００３６】
【表３】
2008139807.tif 000005
【００３７】
表３に示した帳票情報は、電子ペン１０１からこの帳票１００に記入された軌跡情報を取得し、この軌跡情報を後記する手順により処理した後における状態を示したものであり、この帳票１００を識別する帳票ＩＤ「Ａ１００３」、この帳票１００の帳票定義情報（図４参照）を示す帳票種別ＩＤ「Ａ１」、及びこの帳票１００が割り当てられるドットパターンの平面における座標を示すドットパターン割当「（１３５６，１４８９）−（２０５６，２４８９）」をヘッダとして有し、エリアを識別するエリアＩＤと対応付けて、そのエリアに関連するエリア値情報（表示情報、地図ＩＤ、軌跡ＩＤ、認識結果、付加軌跡、面積：ｍ２）を記憶している。
なお、エリア値情報は、後記する情報登録装置１０４の動作過程において、順次付加されるものであるため、各情報の説明は、情報登録装置１０４の動作過程の説明にて行う。また、エリアに関連する情報の項目の種類は、帳票定義情報のエリア属性（図４参照）の項目値に応じて、適宜変更される。
【００３８】
次に、マスタレイヤデータベース１３０には、地図画像に対応付けて、この地図画像に重ね合わせて表示される地図付加情報を特定する情報が記憶される。
ここで、次に示す表４は、マスタレイヤデータベース１３０に記憶される情報の例を示すテーブルである。
【００３９】
【表４】
2008139807.tif 000006
【００４０】
表４に示すように、マスタレイヤデータベース１３０には、地図指定情報の地図ＩＤ（表２参照）と対応付けて地図付加画像（ここでは、説明のために、地図付加画像のファイル名で表示）が格納されている。例えば、最上位レコードの地図ＩＤ「９００１」の地図指定情報に対応する地図付加情報は「−」であるため、この地図指定情報に対応付けられた地図付加情報がないことを示し、上から２番目のレコードの地図ＩＤ「９００２」の地図指定情報には、地図付加情報「□□□.gif」が対応付けられていることを示している。
なお、本実施形態では、マスタレイヤデータベース１３０に記憶される地図付加情報として、画像データを記憶することとしたが、例えば、地図画像に重ね合わせて表示されるオブジェクトの形状及びその位置を定義する情報を地図付加情報として記憶することもできる。
【００４１】
次に、ドットパターンデータベース１３１には、特殊なドットパターンが付された平面の画像データが記憶されている。前記のように、このドットパターンは平面上の座標をコード化したものであり、この座標を指定することで、平面上の任意の点を指定することができる。
【００４２】
（管理端末）
図１に戻って、管理端末１０５は、情報登録装置１０４のコンソールであり、専用の端末を用いることや、演算手段としてのＣＰＵ、管理端末１０５の動作を実現するプログラムを展開したり、実行中のデータを一時記憶するＲＡＭ、前記のプログラムが記憶されるハードディスクドライブ、情報登録装置１０４との通信を行う際に使用するネットワークインタフェース等を備える一般的なコンピュータにより具現することもできる。
この管理端末１０５を介して、情報登録装置１０４において、帳票１００に表示される情報の設定を行ったり、情報登録装置１０４が出力する情報を表示することができる。
【００４３】
（プリンタ）
プリンタ１０６は、情報登録装置１０４からの印刷情報の出力を受けて、帳票１００を印字出力する。
プリンタ１０６としては、一般的な各種のプリンタを用いることができ、本実施形態のように、情報登録装置１０４にローカル接続された構成であっても、ネットワーク１０３に接続され、ネットワーク１０３を介して、情報登録装置１０４に接続される構成であってもよい。後者の場合、電子ペン１０１の設置場所近傍にプリンタ１０６を配置して、利用者が直接、プリンタ１０６から出力される帳票１００を受け取ることもできる。
【００４４】
（地図情報登録システムの動作概要）
以下、前記した構成を有する本実施形態の情報登録システムの動作手順について説明する。ここで、図５は、情報登録システムの動作手順の概要を示すフローチャートの例である。図５を参照して、情報登録システムの動作手順の概要を説明する（適宜、図１参照）。
なお、図５に示したフローチャートにおいて、情報登録装置１０４の動作ではない手順については破線で示している。
【００４５】
まず、情報登録装置１０４は帳票生成プログラム１２１を実行し、管理者が管理端末１０５から入力した帳票１００の種類、帳票１００に表示する地図、及び帳票１００に予め印刷される情報を取得して、この帳票１００の帳票情報を作成するとともに、帳票１００に印刷される情報である帳票印刷データを設定し、プリンタ１０６に受け渡すことで、帳票生成を行う（ステップＳ５０１）。なお、この帳票生成の詳細な手順については、図６を参照して後記する。
【００４６】
次に、プリンタ１０６から出力された帳票１００に、利用者が電子ペン１０１で書き込んだ記入データを、電子ペン１０１のメモリ１０１４が軌跡情報として記憶する（Ｓ５０２）。ここで記憶される軌跡情報とは、前記したとおり電子ペン１０１の時間単位のＸ／Ｙ座標からなるデータ群である。
そして、電子ペン１０１に記憶されている軌跡情報を、ペン端末１０２が所定の通信路を用いて取り込む（ステップＳ５０３）。
【００４７】
次に、ペン端末１０２は、ネットワーク１０３を介して、取り込んだ軌跡情報を情報登録装置１０４に送信する（ステップＳ５０４）。
情報登録装置１０４は、ペン端末１０２から受信した軌跡情報を、自身の記憶部１２０の軌跡情報データベース１２６に記憶する。
【００４８】
次に、情報登録装置１０４は、軌跡処理プログラム１２２を実行し、記憶した軌跡情報に文字認識等の処理を実行することで、帳票１００の各エリアのエリア値を計算する軌跡情報の処理（ステップＳ５０５）を実行し、その処理結果を管理端末１０５に表示する（ステップＳ５０６）。なお、軌跡情報の処理（ステップＳ５０５）の詳細な手順については、図１０を参照して後記する。
【００４９】
そして、情報登録装置１０４は付加情報登録プログラム１２５を実行し、管理端末１０５からの入力に基づいて、帳票１００の地図画像が表示されるエリアに対して、前記の地図付加情報（表４参照）を対応付ける、地図情報の付加情報（地図付加情報）の登録を実行する（ステップＳ５０７）。なお、付加情報を登録する詳細な手順については、図１３を参照して後記する。また、ステップＳ５０７の付加情報を登録する手順は、図５に示したフローチャートの順番に関係なく、適宜実行可能な手順である。
【００５０】
以下、図５に示した情報登録システムの動作手順の概要を示すフローチャートにおいて、情報登録装置１０４の詳細な動作手順について説明する（適宜、図１参照）。
（帳票生成手順の詳細）
まず、帳票生成の手順（ステップＳ５０１）について、詳しく説明する。
ここで、図６は、帳票生成手順の詳細を示すフローチャートである。図６を参照して、情報登録装置１０４では、管理端末１０５からの起動指示を受けて帳票生成プログラム１２１を起動し、帳票定義データベース１２７に記憶された帳票定義情報（図４参照）の帳票イメージを取得して、帳票定義情報を選択させる帳票種別選択画面を作成し、管理端末１０５のディスプレイに、この帳票種別選択画面を表示する（ステップＳ５０１１）。
【００５１】
ここで、図７は、帳票種別選択画面の表示例を示す図面である。図７を参照して、帳票種別選択画面７０１は、参照符号７０３で示す、各帳票定義情報に対応する帳票イメージが表示される領域と、参照符号７０２で示す帳票定義情報を択一的に選択するラジオボタンと、このラジオボタンで選択した帳票定義情報を選択することを確定する際に、管理端末１０５の図示しないマウス等を用いて選択するボタン７０４とを備える。
【００５２】
図６に戻って、管理端末１０５において、ボタン７０４が選択されると、帳票生成プログラム１２１は、帳票定義データベース１２７から、帳票種別選択画面７０１のラジオボタンで選択された帳票種類に応じた帳票定義情報を取得する（ステップＳ５０１２）。
次に、帳票生成プログラム１２１は、例えば、連番で採番することで、一意な帳票ＩＤを発行し、ステップＳ５０１２で取得した帳票定義情報に基づいて帳票情報を作成する（ステップＳ５０１３）。このとき、帳票定義情報の帳票座標（図４参照）に応じたサイズの未使用のドットパターンの平面の座標を、帳票情報のドットパターン割当として割り当てる。ここで、ステップＳ５０１３で作成された帳票情報の例を、次の表５に示す。
【００５３】
【表５】
2008139807.tif 000007
【００５４】
表５に示した帳票情報は、表３に示した帳票情報と比べて、ヘッダ情報とエリアＩＤ以外の項目値が記憶されていないことがわかる。これは、ステップＳ５０１３で作成した帳票情報は、図４に示した帳票定義情報と、ステップＳ５０１３において発行された帳票ＩＤ及びドットパターン割当とに基づいて作成されたためである。なお、帳票情報の各項目値は、以降の手順において順次付加される。
【００５５】
次に、帳票生成プログラム１２１は、ステップＳ５０１２で取得した帳票定義情報のエリア属性に応じて、帳票設定画面を表示する（ステップＳ５０１４）。本実施形態では、エリア属性が「表示」のエリアについて、このエリアに表示される表示情報の取得と、エリア属性が「地図画像」のエリアについて、このエリアに表示される地図画像を特定する地図ＩＤの取得とを行うための帳票設定画面を作成し、管理端末１０５のディスプレイに、この帳票設定画面を表示する。
この帳票設定画面を介して、帳票生成プログラム１２１は、管理端末１０５から入力された各エリアのエリア値を取得して、帳票情報データベース１２９の帳票情報に記憶する（ステップＳ５０１５）。
【００５６】
以下、ステップＳ５０１４及びステップＳ５０１５の手順について、画面例を示してさらに詳細に説明する。
ここで、図８は、帳票設定画面の表示例を示す図面である。図８を参照して、帳票設定画面８０１は、参照符号８０７で示す画面の左側の領域に、帳票定義情報の帳票イメージが表示され、その右側の領域には、帳票１００を印刷する前に予め設定しておく情報を登録するための構成を備える。なお、図８に示した帳票イメージでは、各エリアのエリアＩＤを認識させるために、各エリアにはそのエリアＩＤを付して表示している。
【００５７】
帳票設定画面８０１の右側の領域には、エリアＩＤ「００１」のエリアに表示情報を入力する参照符号８０２で示すテキストボックスと、地図ＩＤを設定する際に図示しないマウス等で選択される参照符号８０３で示すボタンと、入力した情報を反映して帳票１００を印刷する際にマウス等で選択される参照符号８０４で示すボタンと、他の帳票１００を設定する際にマウス等で選択される参照符号８０５で示すボタンと、入力を終了する際にマウス等で選択される参照符号８０６で示すボタンとを備える。
なお、参照符号８０５で示すボタンを選択された場合は、ステップＳ５０１３に戻って新たに帳票ＩＤ及び帳票情報を作成して、ステップＳ５０１４に進んで、新たに作成した帳票ＩＤ及び帳票情報に対応する帳票設定画面を表示する。
【００５８】
図８に示した帳票設定画面８０１において、管理端末１０５を使用する管理者は、参照符号８０２で示したテキストボックスに、管理端末１０５のキーボード等を用いて所定のテキストを入力し（ここでは「宮城県仙台市青葉区・・・」）、地図画像を設定するために、参照符号８０３で示したボタンを選択する。すると、帳票生成プログラム１２１は、地図画像を設定するための表示画面である地図指定情報設定画面を作成し、この画面を管理端末１０５のディスプレイに表示する。
【００５９】
ここで、図９は、地図指定情報設定画面９０１の表示例を示す図面である。
図９に示した地図指定情報設定画面９０１の左側の領域には、予め地図ＩＤが決まっている場合に、その地図ＩＤを入力するテキストボックスと、その地図ＩＤに対応する地図画像を表示する場合に選択するボタンからなる参照符号９０６で示す領域と、新たに地図を設定する場合に、その地図の代表点を特定する北緯及び東経を入力する参照符号９０２で示すテキストボックスと、その地図の縮尺を選択する参照符号９０３で示すプルダウンメニューとを備える。
参照符号９０６で示すテキストボックスに管理端末１０５のキーボード等から地図ＩＤが入力されるか、参照符号９０２で示すテキストボックスに北緯及び東経が入力され、参照符号９０３で示すプルダウンメニューから縮尺が選択されると、地図指定情報設定画面９０１の右側の参照符号９０４で示す領域には、入力された情報に対応する地図画像が表示される。
【００６０】
ここで、参照符号９０６で示すテキストボックスに地図ＩＤが入力された場合は、帳票生成プログラム１２１は、地図情報データベース１２８の地図指定情報（表２参照）から入力された地図ＩＤに対応するレコードを検索し、地図情報データベース１２８のマスタ地図画像のこのレコードに対応する地図画像を切り出して参照符号９０４に示すエリアに表示する。また、参照符号９０２で示すテキストボックスに北緯及び東経が入力され、参照符号９０３で示すプルダウンメニューから縮尺が選択された場合は、地図情報データベース１２８のマスタ地図画像の入力された情報に対応する地図画像を切り出して参照符号９０４に示すエリアに表示する。
なお、参照符号９０４で示す領域の大きさは、帳票定義情報のこの地図画像が表示されるエリアの大きさであるエリア座標（図４参照）の項目値に応じて決定される。
【００６１】
そして、参照符号９０４で示す領域に表示された地図画像を用いる場合には、管理端末１０５を使用する管理者は、参照符号９０５で示すボタンをマウス等で選択することで、
管理端末１０５に表示される表示画面は、図８に示した帳票設定画面８０１に戻る。
このとき、参照符号９０２で示すテキストボックスに北緯及び東経が入力され、参照符号９０３で示すプルダウンメニューから縮尺が選択された場合は、帳票生成プログラム１２１は、新たに地図ＩＤを生成し、地図指定情報（表２参照）に新たなレコードを作成して、このレコードに各入力値を記憶する。
【００６２】
次に管理者は、帳票設定画面８０１において、予め設定する必要のあるエリアのエリア値の入力が完了したことを確認して、管理端末１０５のマウス等を用いて、参照符号８０４で示すボタンを選択する。これをトリガとして、帳票生成プログラム１２１は、帳票設定画面８０１を介して入力された、予め設定の必要のあるエリアのエリア値を取得して、帳票情報データベース１２９の対応する帳票情報（表５参照）に、このエリア値を記憶する。ここで、ステップＳ５０１５終了時の帳票情報の例を、次の表６に示す。
【００６３】
【表６】
2008139807.tif 000008
【００６４】
表６に示した帳票情報は、表５に示した帳票情報と比べて、エリアＩＤ「００１」のエリア値である表示情報「宮城県仙台市青葉区・・・」と、エリアＩＤ「００２」のエリア値である地図ＩＤ「９００１」とが付加されていることがわかる。これらの付加されたエリア値が、ステップＳ５０１５において記憶されたものである。
【００６５】
図６に戻って、次に、帳票生成プログラム１２１は、帳票情報のドットパターン割当の項目値に基づいて、ドットパターンデータベース１３１から、この帳票情報に割り当てられたドットパターンを取得し、このドットパターン、帳票イメージ、表示情報、及び地図ＩＤに対応する地図画像を重ね合わせた（図３参照）帳票印刷データを作成し（ステップＳ５０１６）、この帳票印刷データをプリンタ１０６に出力する（ステップＳ５０１７）。そして、帳票印刷データを受信したプリンタ１０６は用紙に帳票印刷データを印刷して、帳票１００として出力する。
以上の手順により、図５に示したフローチャートの帳票生成の手順（ステップＳ５０１）が終了する。
【００６６】
（軌跡情報の処理手順の詳細）
次に、軌跡情報の処理手順（ステップＳ５０５）について、詳しく説明する。ここで、図１０は、軌跡情報の処理手順の詳細を示すフローチャートである。図１０を参照して、情報登録装置１０４は、ペン端末１０２から軌跡情報を取得したタイミングで、軌跡処理プログラム１２２を起動し、取得した軌跡情報のＸ／Ｙ座標から、その座標に対応する、帳票情報データベース１２９に格納された帳票情報（表６参照）を特定する（ステップＳ５０５１）。
そして、この特定された帳票情報の帳票種別ＩＤに応じた、帳票定義情報（図４参照）を帳票定義データベース１２７から取得する（ステップＳ５０５２）。
【００６７】
次に、軌跡処理プログラム１２２は、取得した帳票定義情報に基づいて、帳票１００に記入された軌跡情報の認識処理を、帳票１００に含まれるすべてのエリアについて実行する。この処理は、エリアＩＤが連番であれば、この番号順で行ったり、右上のエリアから順番に行うことにしてもよい。
まず、軌跡処理プログラム１２２は、処理対象のエリアのエリア属性が「表示」であるか否かを判定する（ステップＳ５０５３）。このエリアのエリア属性が「表示」である場合は（ステップＳ５０５３で‘Ｙｅｓ’）、このエリアについては処理を行う必要がないためステップＳ５０６３に進む。
【００６８】
一方、このエリアのエリア属性が「表示」ではない場合は（ステップＳ５０５３で‘Ｎｏ’）、エリア属性が「地図画像」であるか否かを判定する（ステップＳ５０５４）。このエリアのエリア属性が「地図画像」である場合は、このエリア内に記入された対応する軌跡情報の軌跡ＩＤを取得して、帳票情報データベース１２９の帳票情報の軌跡ＩＤの項目値として記憶し（ステップＳ５０５５）、ステップＳ５０６３に進む。
【００６９】
一方、このエリアのエリア属性が「地図画像」ではない場合は（ステップＳ５０５４で‘Ｎｏ’）、エリア属性が「文字入力」であるか否かを判定する（ステップＳ５０５６）。このエリアのエリア属性が「文字入力」ではない場合は（ステップＳ５０５６で‘Ｎｏ’）、ステップＳ５０６３に進み、エリア属性が「文字入力」である場合は（ステップＳ５０５６で‘Ｙｅｓ’）、このエリアに記入された軌跡情報を取得して、文字認識プログラム１２３を呼び出し、軌跡情報に対して文字認識を実行し、このエリアのエリア値として認識結果を、帳票情報データベース１２９の帳票情報に記憶する（ステップＳ５０５７）。なお、文字認識プログラム１２３としては、様々な公知のアルゴリズムを適用することができ、本実施形態のような電子ペン１０１を用いるシステムの場合、ストロークごとの軌跡情報を取得できるため、文字の筆順を考慮して文字認識を実行でき、文字認識の精度を高めることができる。
【００７０】
次に、軌跡処理プログラム１２２は、このエリアの付加軌跡取得の項目値が「ＹＥＳ」か否かを判定する（ステップＳ５０５８）。付加軌跡取得の項目値が、「ＹＥＳ」ではない場合（ステップＳ５０５８で‘Ｎｏ’）、ステップＳ５０６３に進む。
一方、このエリアの付加軌跡取得の項目値が「ＹＥＳ」である場合（ステップＳ５０５８で‘Ｙｅｓ’）、このエリアに対応する軌跡ＩＤを取得して、このエリアのエリア値（付加軌跡）として、帳票情報データベース１２９の帳票情報に記憶する（ステップＳ５０５９）。
【００７１】
ここで、ステップＤ５０５９の軌跡ＩＤの取得について詳しく説明する。例えば、図１１は、所定のエリアに対応する軌跡を特定する手順を説明する図面である。ここでは、図１１に示した帳票１００の参照符号１１０１で示すエリアに対応する軌跡を取得する場合を示す。
はじめに、図１１（１）に示すように、参照符号１１０１で示したエリアに軌跡を対応付けるためには、参照符号１１０２で示すエリアのチェックボックス（請求項の軌跡特定開始エリアに相当）に電子ペン１０１を用いてチェックを記入する。次に、図１１（２）に示すように、対応付ける軌跡を、地図が表示されるエリアに電子ペン１０１を用いて記入する。ここでは、参照符号１１０３で示す軌跡がその軌跡に該当する。そして、図１１（３）に示すように、参照符号１１０４で示すエリアのチェックボックス（軌跡特定終了エリアに相当）に電子ペン１０１を用いてチェックを記入する。
この手順により、軌跡情報には、取得時刻が記憶されていることを用いて、参照符号１１０２で示したエリアに記入された軌跡（チェックマーク）の後に記入され、かつ参照符号１１０４で示したエリアに記入された軌跡（チェックマーク）の前に記入された軌跡の軌跡情報を、参照符号１１０１で示したエリアに対応する軌跡情報として取得する。
【００７２】
なお、本実施形態では２つのチェックボックス（１１０２、１１０４）に軌跡を記入した間に、地図が表示されるエリアに軌跡を記入することで、この軌跡を所定のエリアに対応する軌跡として特定したが、例えば、チェックボックスを１つだけ設けて、そのチェックボックスに軌跡が記入される前、または後で記入された軌跡を、所定のエリアに対応する軌跡として特定することもできる。
また、別途、チェックボックスを設けることなく、地図が表示されるエリアに記入された軌跡であれば、すべて所定のエリアに対応する軌跡として取得する構成とすることもできる。
【００７３】
図１０に戻って、次に軌跡処理プログラム１２２は、このエリアの面積計算の項目値が「ＹＥＳ」か否かを判定する（ステップＳ５０６０）。付加軌跡取得の項目値が、「ＹＥＳ」ではない場合（ステップＳ５０６０で‘Ｎｏ’）、ステップＳ５０６３に進む。
一方、このエリアの面積計算の項目値が「ＹＥＳ」である場合（ステップＳ５０６０で‘Ｙｅｓ’）、面積計算プログラム１２４を呼び出し、ステップＳ５０５９で取得した軌跡ＩＤから、この軌跡ＩＤに対応する軌跡情報のループ状となった閉領域を検出し、その閉領域の面積を算出する（ステップＳ５０６１）。ここで、閉領域の検出は、例えば、Ｘ／Ｙ座標で表される軌跡情報の各レコード同士の連結成分に基づいて検出したり、その他の公知の方法により検出可能であり、閉領域の面積の計算は、例えば、閉領域内に含まれるドットパターンのＸ／Ｙ座標と、地図指定情報の縮尺の項目値を用いて算出することができる。
【００７４】
次に、軌跡処理プログラム１２２は、ステップＳ５０６１で算出した面積を、このエリアのエリア値（面積：ｍ２）として、帳票情報データベース１２９の帳票情報に記憶する（ステップＳ５０６２）。
そして、すべてのエリアについてステップＳ５０５３以降の処理を実行したか否かを判定し（ステップＳ５０６３）、実行していない場合は（ステップＳ５０６３で‘Ｎｏ’）、ステップＳ５０５３に戻り、すべてのエリアに実行した場合は（ステップＳ５０６３で‘Ｙｅｓ’）、軌跡情報の処理の手順を終了する。
【００７５】
軌跡処理プログラム１２２が、図１０に示した各手順を実行して、処理結果として各エリアのエリア値を記憶することで、帳票定義データベース１２７に記憶された取り扱い対象の帳票１００の帳票情報は、例えば、表６に示したものから、表３に示したものへと変化する。
なお、本実施形態では、帳票情報の各エリアに記入された軌跡または対応付けて取得した軌跡として、軌跡ＩＤを取得することとしたが、この軌跡ＩＤに対応する軌跡情報そのものを取得することにしてもよい。
【００７６】
ここで、図５に示したフローチャートのステップＳ５０６における処理結果の表示の手順について追加的な説明を行う。ステップＳ５０６では、情報登録装置１０４の軌跡処理プログラム１２２が、図１０のフローチャートに示した各処理の処理結果を表示画面として管理端末１０５に出力する。
【００７７】
ここで、図１２は、ステップＳ５０６において、情報登録装置１０４の軌跡処理プログラム１２２が、管理端末１０５のディスプレイに表示する認識結果表示画面の例である。図１２に示した認識結果表示画面１２０１は、取り扱い対象の帳票１００の帳票情報に基づいて生成され、参照符号１２０２で示す左側の領域には、この帳票１００の帳票イメージと、各エリアの軌跡ＩＤに対応する軌跡情報とを重ね合わせて表示し、右側の参照符号１２０３で示す領域には、図１０のフローチャートに示した各処理の処理結果であるエリア値が表示されている。
【００７８】
この認識結果表示画面１２０１に表示された処理結果に誤りがある場合は、管理者が管理端末１０５のキーボード等を用いて、エリア値を修正することもでき、参照符号１２０４で示すボタンを管理端末１０５のマウス等を用いて選択された場合、変更されたエリア値がある場合にのみ、帳票情報の変更されたエリア値が更新される。
【００７９】
（付加情報の登録手順の詳細）
次に、付加情報の登録手順（ステップＳ５０７）について、詳しく説明する。ここで、図１３は、付加情報の登録手順の詳細を示すフローチャートである。図１３を参照して、情報登録装置１０４では、管理端末１０５からの起動指示を受けて付加情報登録プログラム１２５を起動し、付加情報登録プログラム１２５は、取り扱い対象の帳票１００を特定するために、帳票ＩＤを取得するための図示しない表示画面を、管理端末１０５にディスプレイに出力する。この表示画面を介して、管理者等が所望の帳票ＩＤを入力すると、付加情報登録プログラム１２５は、この帳票ＩＤを取得し、この帳票ＩＤに対応する帳票情報を帳票情報データベース１２９から、その帳票情報に基づいて帳票定義情報を帳票定義データベース１２７からそれぞれ取得する（ステップＳ５０７１）。
【００８０】
次に、付加情報登録プログラム１２５は、マスタレイヤデータベース１３０（表４参照）から、ステップＳ５０７１で取得した帳票情報に含まれる地図ＩＤに対応する地図付加情報を取得する（ステップＳ５０７２）。このとき、この帳票１００の地図ＩＤに対応する地図付加情報がない場合は、地図付加情報は取得しない。
そして、ステップＳ５０７１及びステップＳ５０７２で取得した各情報に基づいて、地図付加情報を登録するための付加情報登録画面を作成して、管理端末１０５のディスプレイに表示する（ステップＳ５０７３）。
【００８１】
ここで、図１４は、付加情報登録画面の表示例を示す図面である。図１４を参照して、付加情報登録画面１４０１は、右側の参照符号１４０３で示す領域に、帳票ＩＤに対応し、参照符号１４０８で示す地図が表示されるエリア(地図表示エリア)を備える帳票１００が表示され、左側の領域に参照符号１４０２で示す帳票ＩＤを入力するテキストボックスと、地図付加情報として、地図画像に所望の記号を表示したり、所望のテキストを入力する際に選択される参照符号１４０４で示すパレットと、前記のパレットで選択された記号またはテキストの大きさを調整する参照符号１４０５で示すスライダと、地図付加情報を同一種類の帳票１００すべてに反映するか、この帳票１００のみに反映するかを示す属性を択一的に選択する参照符号１４０６で示すラジオボタンと、編集された地図付加情報をマスタレイヤデータベース１３０または帳票情報データベース１２９に登録する際に選択される参照符号１４０７で示すボタンとを備える。
図１４に示した付加情報登録画面１４０１では、参照符号１４０８で示す地図が表示されるエリアに、参照符号１４０９で示す画像情報である×印と、参照符号１４１０で示すテキスト情報である「交通事故多発」という文字をそれぞれ入力した例を示している。
【００８２】
情報登録システムの管理者は、付加情報登録画面１４０１を用いて、管理端末１０５から、画面表示内の帳票１００の地図情報のエリアに所望の編集作業を行い、参照符号１４０６で示すラジオボタンで、編集した地図付加情報を同一種類の帳票１００すべてに反映するか、この帳票１００のみに反映するか選択し、参照符号１４０７で示すボタンをマウス等で選択する。これにより、付加情報登録プログラム１２５は、画像情報及び／またはテキスト情報として地図付加情報を取得する（ステップＳ５０７４）。
なお、地図付加情報としては、テキスト情報として、例えばＵＲＬ（Uniform Resource Locator）のようなファイルの位置を示す情報を記入することで、音声ファイルやその他のファイルを対応付けることもできる。
【００８３】
次に、付加情報登録プログラム１２５は、ステップＳ５０７４で取得した地図付加情報の属性は「個別」か否かを判定する（ステップＳ５０７５）。ここで、属性が「個別」ではない場合（ステップＳ５０７５で‘Ｎｏ’）、マスタレイヤデータベース１３０に、新たなレコードを作成し、この帳票１００の地図ＩＤと対応付けて地図付加情報を記憶して（ステップＳ５０７６）、付加情報の登録処理を終了する。
一方、属性が「個別」である場合（ステップＳ５０７５で‘Ｙｅｓ’）、帳票情報データベース１２９に記憶された当該帳票１００の帳票情報に、地図画像が表示されるエリアのエリアＩＤと対応付けて地図付加情報を記憶し（ステップＳ５０７７）、付加情報の登録処理を終了する。
つまり、地図付加情報は、地図画像に対応付けることも、各帳票１００の地図画像の表示されるエリアに対応付けることもでき、同一種類の帳票１００すべてにおいて共有する情報と、各帳票１００で個別に設定する情報とをそれぞれ登録することもできる。
【００８４】
ここで、ステップＳ５０７７の終了時における帳票情報の例を、次の表７に示す。
【００８５】
【表７】
2008139807.tif 000009
【００８６】
表７に示すように、帳票情報のエリアＩＤ「００２」のレコードには、地図付加情報として、「□□□.gif」が格納されていることがわかる。
前記のように、図１３に示した付加情報の登録処理は、図５に示したフローチャートの順番に関係なく、適宜実行可能な手順であり、任意のタイミングで地図付加情報を登録することができる。このため、例えば、ステップＳ５０６の処理結果の表示手順の前に、付加情報の登録処理を実行すれば、図１２に示した認識結果表示画面の参照符号１２０２で示した帳票１００の地図画像を表示するエリアには、地図付加情報が重ね合わせて表示される。
【００８７】
以上説明した本実施形態の情報登録装置１０４によると、電子ペン１０１を用いて地図画像が表示されるエリアと、その他の電子データとの対応付けを行うことができるため、電子ペン１０１を用いて帳票１００に記入する利用者は、煩雑な操作を必要とすることなく地図に対して様々な情報を電子データとして付加することができる。また、本実施形態のシステムによれば、地図画像だけでなく、地図画像が表示されたエリアに記入された軌跡自体にも、電子ペン１０１を用いて様々な情報を付加することもできる。
また、帳票１００に表示される地図画像には、電子ペン１０１を用いることなく軌跡以外の地図付加情報を対応付け、重ね合わせて表示することができる。この地図付加情報は地図情報に対応付けられているため、異なる帳票であっても、地図情報を指定することで、地図画像と併せて地図付加情報を呼び出すことができ、地図付加情報を共有して利用することができる。
【００８８】
（変更例）
次に、前記の実施形態の変更例について説明する。ここでは、前記の実施形態において、図１０に示した軌跡情報の処理手順のステップＳ５０５９において、帳票情報の付加軌跡（表３参照）として軌跡ＩＤを取得する方法の変更例について説明する。
前記の実施形態では、図１１を用いて説明したように、所定の２つのエリアに記入された軌跡情報の間で、取得された軌跡情報を特定の軌跡情報として特定のエリアのエリア値として取得する例を示した。本発明では、軌跡情報の対応付けはこの手順に特定されることなく、さまざまな方法を用いることができる。
【００８９】
例えば、図１５は、軌跡情報の対応付けの変更例を説明する図面である。ここでは、図１５（１）に示した帳票１００において、地図画像が表示されたエリアに電子ペン１０１を用いて記入された参照符号１５０３で示す軌跡に、参照符号１５０１で示す文字認識を行うエリアのエリア値を対応付ける。このために、参照符号１５０２で示すエリアを、予め帳票定義情報において接続のためのエリアと定義しておく。
【００９０】
そして、図１５（２）に示すように、参照符号１５０２で示すエリアと、参照符号１５０３で示す軌跡を跨ぐように、電子ペン１０１を用いて参照符号１５０４で示す軌跡を記入する。図１５（２）に示したように記入しておくことで、ステップＳ５０５９では、軌跡処理プログラム１２２は、参照符号１５０２で示すエリアに記入された軌跡を取得し、取得した参照符号１５０４で示す軌跡の軌跡情報から、この軌跡の始点及び終点を検出する。そして、参照符号１５０２で示すエリアとは異なる始点または終点のＸ／Ｙ座標を算出する。
【００９１】
次に、軌跡処理プログラム１２２は、算出した始点または終点のＸ／Ｙ座標が含まれるエリア内の軌跡情報のうち、閉領域を有し、その閉領域内の座標が、その始点または終点のＸ／Ｙ座標と一致する軌跡情報を、参照符号１５０１で示したエリアのエリア値として取得して帳票情報に記憶する。
また、反対に、地図画像の表示されたエリアのエリア値として、参照符号１５０１で示すエリアの文字認識の結果を取得することもできる。
【００９２】
以上のように、地図画像が表示されるエリアまたはそのエリアに記入された軌跡に、その他の情報を対応付ける方法は様々な方法を適用することができる。また、前記の実施形態では、電子ペン１０１が取得した軌跡情報は、一端、ペン端末１０２に送信され、その後、ネットワーク１０３を介して情報登録装置１０４に送信することとしたが、軌跡情報を情報登録装置１０４が電子ペン１０１から直接取得したり、記録媒体に記憶された軌跡情報を情報登録装置１０４が取得する構成としてもよい。
また、前記の実施形態では、帳票１００に特殊なドットパターンを印刷することで、電子ペン１００がこれを読み取り、帳票上の位置を計算することとしたが、本発明はこの方式に限定されず、電子ペンにより筆記された軌跡情報を取得できる構成であれば、様々な方式のものを適用することができる。
したがって、本発明は前記した実施形態に限定されることなく、特許請求の範囲に記載された技術的思想によって定められる。
【図面の簡単な説明】
【００９３】
【図１】情報登録システムの構成を示す図面である。
【図２】電子ペンの内部構成を示す図面である。
【図３】帳票の構成する情報を説明する図面である。
【図４】帳票定義情報を説明する図面である。
【図５】情報登録システムの動作手順の概要を示すフローチャートである。
【図６】帳票生成処理の詳細を示すフローチャートである。
【図７】帳票種別選択画面を示す図面である。
【図８】帳票設定画面を示す図面である。
【図９】地図指定情報設定画面を示す図面である。
【図１０】軌跡情報の処理の詳細を示すフローチャートである。
【図１１】所定のエリアに対応する軌跡を特定する手順を説明する図面である。
【図１２】認識結果表示画面を示す図面である。
【図１３】付加情報の登録処理の詳細を示す図面である。
【図１４】付加情報登録画面を示す図面である。
【図１５】変更例にかかる、所定のエリアに対応する軌跡を特定する手順を説明する図面である。
【符号の説明】
【００９４】
１００  帳票
１０１  電子ペン
１０４  情報登録装置
１１０  演算処理部
１２０  記憶部
１２１  帳票生成プログラム
１２２  軌跡処理プログラム
１２３  文字認識プログラム
１２４  面積計算プログラム
１２５  付加情報登録プログラム
１２６  軌跡情報データベース
１２７  帳票定義データベース
１２８  地図情報データベース
１２９  帳票情報データベース
１３０  マスタレイヤデータベース
【図１】
2008139807.tif 000010
【図２】
2008139807.tif 000011
【図３】
2008139807.tif 000012
【図４】
2008139807.tif 000013
【図５】
2008139807.tif 000014
【図６】
2008139807.tif 000015
【図７】
2008139807.tif 000016
【図８】
2008139807.tif 000017
【図９】
2008139807.tif 000018
【図１０】
2008139807.tif 000019
【図１１】
2008139807.tif 000020
【図１２】
2008139807.tif 000021
【図１３】
2008139807.tif 000022
【図１４】
2008139807.tif 000023
【図１５】
2008139807.tif 000024